(57)【要約】【課題】調査対象者抽出のランダム性を確保する。【解決手段】地図プロット装置１０は、世帯情報のうち、所定の世帯ＩＤを含む世帯情報を、調査対象世帯の世帯情報として取得し、調査対象世帯をプロットした地図を出力する。携帯電話機２０は、調査対象世帯のそれぞれについて、乱数を発生させ、調査員に構成員のうちの何番目の年齢の構成員を調査対象者とするかを認識させる。更に、携帯電話機２０は、調査対象世帯のそれぞれについて、構成員のうち、発生された乱数により定まる年齢順位に対応する構成員の属性情報を、調査対象者の属性情報として取得し、集計装置３０へ送信する。【選択図】図１
2010182040.tif 000002
【特許請求の範囲】
【請求項１】
地図出力装置と、端末装置と、集計装置とを備え、所定の調査対象者に対する調査を支援する調査支援システムであって、
前記地図出力装置は、
複数の世帯のそれぞれについて、前記世帯を一意に特定可能な世帯番号と、前記世帯の位置情報とを含んだ世帯情報を記憶する世帯情報記憶部と、
前記世帯情報記憶部に記憶された前記世帯情報のうち、第１の世帯番号を含む世帯情報と、前記第１の世帯番号に第１の数値を順次加算して得られる第２の世帯番号を含む世帯情報とを抽出する世帯情報抽出部と、
前記世帯情報抽出部により抽出された前記世帯情報に含まれる前記世帯の位置情報に基づいて、前記世帯情報抽出部により抽出された前記世帯情報に対応する世帯である調査対象世帯の位置を表した地図の情報を出力する出力部と、
を備え、
前記端末装置は、
乱数を発生させる乱数発生部と、
前記乱数発生部により発生された前記乱数を、調査対象者の年齢順位として表示する表示部と、
前記調査対象世帯の構成員の年齢を含む構成員属性情報を入力する入力部と、
前記入力部により入力された前記構成員属性情報を、前記調査対象世帯を構成し、且つ、調査対象者の属性に合致する構成員のうち、前記調査対象者の年齢順位に対応する構成員の属性情報である調査対象者属性情報として、前記集計装置へ送信する送信部と、
を備える調査支援システム。
【請求項２】
前記乱数発生部は、ランダムテーブルに基づいて、前記乱数を発生させる請求項１に記載の調査支援システム。
【請求項３】
前記送信部は、前記調査対象世帯を構成する構成員を、前記構成員の年齢に応じて順位付けし、前記乱数発生部により発生された前記乱数によって示される年齢の順位の構成員の属性情報を、前記調査対象者属性情報として、前記集計装置へ送信する請求項１又は２に記載の調査支援システム。
【請求項４】
前記世帯情報抽出部は、前記調査対象者の数が、前記所定の調査に必要とされる数よりも少ない場合に、更に、前記世帯情報を抽出する請求項１乃至３の何れかに記載の調査支援システム。
【請求項５】
前記世帯情報は、対応する世帯の属性情報を含み、
前記世帯情報抽出部は、前記世帯情報記憶部に記憶された前記世帯情報のうち、所定の前記世帯の属性情報を含む世帯情報を抽出する請求項１乃至４の何れかに記載の調査支援システム。
【請求項６】
地図出力装置と、端末装置と、集計装置とを備え、所定の調査対象者に対する調査を支援する調査支援システムにおける調査支援方法であって、
前記地図出力装置が、複数の世帯のそれぞれについて、前記世帯を一意に特定可能な世帯番号と、前記世帯の位置情報とを含んだ世帯情報を記憶するステップと、
前記地図出力装置が、記憶された前記世帯情報のうち、第１の世帯番号を含む世帯情報と、前記第１の世帯番号に第１の数値を順次加算して得られる第２の世帯番号を含む世帯情報とを抽出するステップと、
前記地図出力装置が、抽出された前記世帯情報に含まれる前記世帯の位置情報に基づいて、抽出された前記世帯情報に対応する世帯である調査対象世帯の位置を表した地図の情報を出力するステップと、
前記端末装置が、乱数を発生させるステップと、
前記端末装置が、前記乱数発生部により発生された前記乱数を、調査対象者の年齢順位として表示するステップと、
前記端末装置が、前記調査対象世帯の構成員の年齢を含む構成員属性情報を入力する入力部と、
前記入力部により入力された前記構成員属性情報を、前記調査対象世帯を構成し、且つ、調査対象者の属性に合致する構成員のうち、前記調査対象者の年齢順位に対応する構成員の属性情報である調査対象者属性情報として、前記集計装置へ送信する送信部と、
を備える調査支援方法。
【請求項７】
前記乱数を発生させるステップは、ランダムテーブルに基づいて、前記乱数を発生させる請求項６に記載の調査支援方法。
【請求項８】
前記調査対象者属性情報を送信するステップは、前記調査対象世帯を構成する構成員を、前記構成員の年齢に応じて順位付けし、発生された前記乱数によって示される年齢の順位の構成員の属性情報を、前記調査対象者属性情報として、前記集計装置へ送信する請求項６又は７に記載の調査支援方法。
【請求項９】
前記世帯情報を抽出するステップは、前記調査対象者の数が、前記所定の調査に必要とされる数よりも少ない場合に、更に、前記世帯情報を抽出する請求項６乃至８の何れかに記載の調査支援方法。
【請求項１０】
前記世帯情報は、対応する世帯の属性情報を含み、
前記世帯情報を抽出するステップは、記憶された前記世帯情報のうち、所定の前記世帯の属性情報を含む世帯情報を抽出する請求項６乃至９の何れかに記載の調査支援方法。
【発明の詳細な説明】
【技術分野】
【０００１】
本発明は、所定の調査における調査を支援する調査支援システム、及び、当該調査支援システムにおける調査支援方法に関する。
【背景技術】
【０００２】
市場調査をはじめとする様々な調査において、調査対象者が決定される場合には、作業者は、住民基本台帳を閲覧し、世帯の構成員を認識した上で、当該構成員の中から調査対象者を選択していた。
【０００３】
しかし、近年、個人情報の保護等の観点から住民基本台帳の閲覧を制限する地方自治体が増加しつつある。このため、調査対象者を決定するための様々な技術が提案されている（例えば、特許文献１参照）。
【先行技術文献】
【特許文献】
【０００４】
【特許文献１】特開２００３−３０３７６号公報
【発明の概要】
【発明が解決しようとする課題】
【０００５】
上述した特許文献１に記載された技術では、年齢や性別等、ある特定の属性を有する者のみを調査対象者として決定している。このため、調査対象者の抽出におけるランダム性の確保が必要な場合における、調査対象者の決定手法としては、適切でない。
【０００６】
上記問題点に鑑み、本発明は、調査対象者抽出のランダム性を確保することが可能な調査支援システム、及び、調査支援方法を提供することを目的とする。
【課題を解決するための手段】
【０００７】
上述した課題を解決するために、本発明は以下のような特徴を有している。まず、本発明の第１の特徴は、地図出力装置（地図プロット装置１０）と、端末装置（携帯電話機２０）と、集計装置（集計装置３０）とを備え、所定の調査対象者に対する調査を支援する調査支援システムであって、前記地図出力装置は、複数の世帯のそれぞれについて、前記世帯を一意に特定可能な世帯番号と、前記世帯の位置情報とを含んだ世帯情報を記憶する世帯情報記憶部（記憶部１０３）と、前記世帯情報記憶部に記憶された前記世帯情報のうち、第１の世帯番号を含む世帯情報と、前記第１の世帯番号に第１の数値を順次加算して得られる第２の世帯番号を含む世帯情報とを抽出する世帯情報抽出部（調査対象世帯抽出部１５４）と、前記世帯情報抽出部により抽出された前記世帯情報に含まれる前記世帯の位置情報に基づいて、前記世帯情報抽出部により抽出された前記世帯情報に対応する世帯である調査対象世帯の位置を表した地図の情報を出力する出力部（地図出力部１５６）とを備え、前記端末装置は、乱数を発生させる乱数発生部（乱数発生部２５２）と、前記乱数発生部により発生された前記乱数を、調査対象者の年齢順位として表示する表示部（年齢順位決定部２５４、モニタ２１０）と、前記調査対象世帯の構成員の年齢を含む構成員属性情報を入力する入力部（調査対象者属性情報取得部２５８）と、前記入力部により入力された前記構成員属性情報を、前記調査対象世帯を構成し、且つ、調査対象者の属性に合致する構成員のうち、前記調査対象者の年齢順位に対応する構成員の属性情報である調査対象者属性情報として、前記集計装置へ送信する送信部（調査対象者属性情報送信部２６０）とを備えることを要旨とする。
【０００８】
このような調査支援システムは、地図出力装置が、調査対象世帯を特定した上で、端末装置が、その調査対象世帯の構成員の何れかの属性情報を調査対象者の属性情報として取得する。この際、端末装置は、調査対象世帯のそれぞれについて、構成員の属性情報を特定するための乱数を発生させ、調査員に構成員のうちの何番目の年齢の構成員を調査対象者とするかを認識させる。更に、端末装置は、調査対象世帯のそれぞれについて、構成員のうち、発生された乱数により定まる年齢順位に対応する構成員の属性情報を、調査対象者の属性情報として得て、集計装置へ送信する。したがって、調査員が自由に調査対象世帯を選択する余地や、自由に調査対象者を選択する余地をなくし、調査対象者抽出のランダム性を確保することが可能となる。
【０００９】
本発明の第２の特徴は、本発明の第１の特徴に係り、前記乱数発生部は、ランダムテーブルに基づいて、前記乱数を発生させることを要旨とする。
【００１０】
本発明の第３の特徴は、本発明の第１又は第２の特徴に係り、前記送信部は、前記調査対象世帯を構成する構成員を、前記構成員の年齢に応じて順位付けし、前記乱数発生部により発生された前記乱数によって示される年齢の順位の構成員の属性情報を、前記調査対象者属性情報として、前記集計装置へ送信することを要旨とする。
【００１１】
本発明の第４の特徴は、本発明の第１乃至第３の特徴の何れかに係り、前記世帯情報抽出部は、前記調査対象者の数が、前記所定の調査に必要とされる数よりも少ない場合に、更に、前記世帯情報を抽出することを要旨とする。
【００１２】
本発明の第５の特徴は、本発明の第１乃至第４の特徴の何れかに係り、前記世帯情報は、対応する世帯の属性情報を含み、前記世帯情報抽出部は、前記世帯情報記憶部に記憶された前記世帯情報のうち、所定の前記世帯の属性情報を含む世帯情報を抽出することを要旨とする。
【００１３】
本発明の第６の特徴は、地図出力装置と、端末装置と、集計装置とを備え、所定の調査対象者に対する調査を支援する調査支援システムにおける調査支援方法であって、前記地図出力装置が、複数の世帯のそれぞれについて、前記世帯を一意に特定可能な世帯番号と、前記世帯の位置情報とを含んだ世帯情報を記憶するステップと、前記地図出力装置が、記憶された前記世帯情報のうち、第１の世帯番号を含む世帯情報と、前記第１の世帯番号に第１の数値を順次加算して得られる第２の世帯番号を含む世帯情報とを抽出するステップと、前記地図出力装置が、抽出された前記世帯情報に含まれる前記世帯の位置情報に基づいて、抽出された前記世帯情報に対応する世帯である調査対象世帯の位置を表した地図の情報を出力するステップと、前記端末装置が、乱数を発生させるステップと、前記端末装置が、発生された前記乱数を、調査対象者の年齢順位として表示するステップと、前記端末装置が、前記調査対象世帯の構成員の年齢を含む構成員属性情報を入力するステップと、前記端末装置が、入力された前記構成員属性情報を、前記調査対象世帯を構成し、且つ、調査対象者の属性に合致する構成員のうち、前記調査対象者の年齢順位に対応する構成員の属性情報である調査対象者属性情報として、前記集計装置へ送信するステップとを備えることを要旨とする。
【００１４】
本発明の第７の特徴は、本発明の第６の特徴に係り、前記乱数を発生させるステップは、ランダムテーブルに基づいて、前記乱数を発生させることを要旨とする。
【００１５】
本発明の第８の特徴は、本発明の第６又は第７の特徴に係り、前記調査対象者属性情報を送信するステップは、前記調査対象世帯を構成する構成員を、前記構成員の年齢に応じて順位付けし、発生された前記乱数によって示される年齢の順位の構成員の属性情報を、前記調査対象者属性情報として、前記集計装置へ送信することを要旨とする。
【００１６】
本発明の第９の特徴は、本発明の第６乃至第８の特徴の何れかに係り、前記世帯情報を抽出するステップは、前記調査対象者の数が、前記所定の調査に必要とされる数よりも少ない場合に、更に、前記世帯情報を抽出することを要旨とする。
【００１７】
本発明の第１０の特徴は、本発明の第６乃至第９の特徴の何れかに係り、前記世帯情報は、対応する世帯の属性情報を含み、前記世帯情報を抽出するステップは、記憶された前記世帯情報のうち、所定の前記世帯の属性情報を含む世帯情報を抽出することを要旨とする。
【発明の効果】
【００１８】
本発明によれば、調査対象者の抽出のランダム性を確保することが可能な調査支援システム、及び、調査支援方法を提供することが可能となる。
【図面の簡単な説明】
【００１９】
【図１】本発明の実施形態に係る調査支援システムの全体概略構成図である。
【図２】本発明の実施形態に係る地図プロット装置の概略構成図である。
【図３】本発明の実施形態に係る、地図プロット装置内の制御部の機能ブロック構成図である。
【図４】本発明の実施形態に係る、世帯情報を含んだ地図情報の第１の例を示す図である。
【図５】本発明の実施形態に係る、世帯情報を含んだ地図情報の第２の例を示す図である。
【図６】本発明の実施形態に係る携帯電話機の概略構成図である。
【図７】本発明の実施形態に係る、携帯電話機内の制御部の機能ブロック図である。
【図８】本発明の実施形態に係る調査対象者属性情報の一例を示す図である。
【図９】本発明の実施形態に係る集計装置の概略構成図である。
【図１０】本発明の実施形態に係る地図プロット装置の動作を示す第１のフローチャートである。
【図１１】本発明の実施形態に係る端末装置の動作を示す第２のフローチャートである。
【発明を実施するための形態】
【００２０】
次に、図面を参照して、本発明の実施形態を説明する。具体的には、（１）調査支援システムの構成、（２）調査支援システムの動作、（３）作用・効果、（４）その他の実施形態について説明する。以下の実施形態における図面の記載において、同一又は類似の部分には同一又は類似の符号を付している。
【００２１】
（１）調査支援システムの構成
まず、本発明の実施形態に係る調査支援システムの構成について、（１．１）調査支援システムの全体概略構成、（１．２）地図プロット装置の構成の順に説明する。
【００２２】
（１．１）調査支援システムの全体概略構成
図１は、本発明の実施形態に係る調査支援システムの全体概略構成図である。
【００２３】
図１に示す調査支援システムは、市場調査等の様々な調査を行うために用いられる。この調査支援システムは、地図プロット装置１０、携帯電話機２０及びプリンタ１２０を含む。
【００２４】
地図プロット装置１０は、例えば、サーバである。この地図プロット装置１０は、調査対象エリアに存在する世帯の中から調査対象世帯を選択し、当該調査対象世帯の位置を表した地図の画像をプリンタ１２０に出力する。プリンタ１２０は、入力した地図画像を印刷する。
【００２５】
調査員は、携帯電話機２０を所持するとともに、印刷された地図画像を参照して、調査対象世帯を訪問する。更に、調査員は、調査対象世帯の構成員の年齢等の属性情報を聞き取り、携帯電話機２０によって発生される乱数に対応する年齢順位の構成員の属性情報を、調査対象者の属性情報として、当該携帯電話機２０に入力する。その後、携帯電話機２０は、集計装置３０に向けて、調査対象者の属性情報を送信する。集計装置３０は、調査対象者の属性情報を受信、記憶する。
【００２６】
（１．２）地図プロット装置の構成
（１．２．１）地図プロット装置の概略構成図
図２は、地図プロット装置１０の概略構成図である。図２に示すように、地図プロット装置１０は、制御部１０２、記憶部１０３、通信部１０６、インタフェース部（Ｉ／Ｆ部）１０８、モニタ１１０及び操作部１１６を含む。
【００２７】
制御部１０２は、例えばＣＰＵによって構成され、地図プロット装置１０が具備する各種機能を制御する。記憶部１０３は、例えばメモリによって構成され、地図プロット装置１０における制御などに用いられる各種情報を記憶する。
【００２８】
通信部１０６は、他の装置との間で、信号の送信及び受信を行う。Ｉ／Ｆ部１０８は、プリンタ１２０を接続し、当該プリンタ２０に対して、上述した地図画像や調査対象者の属性情報等の印刷情報を出力する。
【００２９】
モニタ１１０は、各種画像を表示したり、操作内容を表示したりする。操作部１１６は、テンキーやファンクションキーなどによって構成され、利用者の操作内容を入力するために用いられるインタフェースである。
【００３０】
（１．２．２）地図プロット装置の詳細構成
次に、地図プロット装置１０の詳細構成、具体的には、制御部１０２の機能ブロック構成について説明する。図３は、地図プロット装置１０の制御部１０２の機能ブロック構成図である。
【００３１】
図３に示すように、制御部１０２は、調査対象世帯抽出部１５２、地図プロット部１５４及び地図出力部１５６を含む。
【００３２】
図４は、記憶部１０３に記憶されている地図情報の一例を示す図である。図４に示す地図情報は、例えば、市町村等の所定の領域毎に構成される。地図情報は、対応する領域の地図画像情報と、対応する領域の外縁の経度及び緯度からなる地図領域情報とを含む。
【００３３】
また、地図情報は、対応する領域の世帯のそれぞれに対応する世帯情報を含む。世帯情報は、対応する世帯を一意に特定可能な世帯番号である世帯ＩＤと、対応する世帯の経度及び緯度からなる世帯位置情報と、対応する世帯が住居であるか事業所であるかを示す世帯属性情報とにより構成される。なお、世帯ＩＤは、連続する整数となっている。
【００３４】
調査対象世帯抽出部１５２は、記憶部１０３に記憶されている地図情報のうち、経度及び緯度により特定される調査地点を含む領域の地図情報を読み出す。
【００３５】
次に、調査対象世帯抽出部１５２は、予め乱数により定まっている世帯を開始点として世帯ＩＤを付与する。更に、調査対象世帯抽出部１５２は、開始点としての世帯ＩＤに所定の整数を順次加算した数に対応する世帯ＩＤを選択する。この際、調査対象世帯抽出部１５２は、選択した世帯ＩＤを含む世帯情報内の世帯属性情報が、対応する世帯が事業所であることを示している場合には、次の世帯ＩＤを選択し直す。更に、調査対象世帯抽出部１５２は、選択し直した世帯ＩＤに加算値を順次加算した数に対応する世帯ＩＤを選択する。
【００３６】
次に、調査対象世帯抽出部１５２は、選択した世帯ＩＤを含む世帯情報に、選択したことを示すプロットフラグ「１」を追加する。また、調査対象世帯抽出部１５２は、選択しなかった世帯ＩＤを含む世帯情報に、選択しなかったことを示すプロットフラグ「０」を追加する。
【００３７】
図５は、プロットフラグが追加された世帯情報を含む地図情報の一例を示す図である。図５に示す地図情報は、最初に選択された世帯ＩＤが「１」、加算値が２であって、且つ、世帯ＩＤ「３」を含む世帯情報内の世帯属性情報＃ｃ３が、対応する世帯が事業所であることを示している場合の例である。
【００３８】
この場合、調査対象世帯抽出部１５２は、まず、世帯ＩＤ「１」を含む世帯情報にプロットフラグ「１」を追加する。次に、調査対象世帯抽出部１５２は、世帯ＩＤ「１」に加算値である２を加算して、世帯ＩＤ「３」を取得する。但し、世帯ＩＤ「３」を含む世帯情報内の世帯属性情報＃ｃ３は、対応する世帯が事業所であることを示している。したがって、調査対象世帯抽出部１５２は、次の世帯ＩＤ「４」を選択し、当該世帯ＩＤ「４」を含む世帯情報にプロットフラグ「１」を追加する。
【００３９】
更に、調査対象世帯抽出部１５２は、選択しなかった世帯ＩＤ「２」及び「３」を含む世帯情報に、プロットフラグ「０」を追加する。
【００４０】
再び、図３に戻って説明する。上述した世帯ＩＤの選択と、プロットフラグの追加の後、調査対象世帯抽出部１５２は、プロットフラグが「１」である世帯情報を、調査対象世帯の世帯情報として抽出する。更に、調査対象世帯抽出部１５２は、記憶部１０３から読み出した地図情報内の地図画像情報及び地図領域情報と、抽出した調査対象世帯の世帯情報とを、地図プロットの対象として地図プロット部１５４へ出力する。
【００４１】
なお、調査対象世帯抽出部１５２は、抽出した調査対象世帯の世帯情報の一部については、地図プロット部１５４へ出力するとともに、予備として保持しておいてもよい。この場合、後述する集計装置３０に集められる調査対象者の属性情報が必要数に達しない場合のみ、予備の調査対象世帯の世帯情報が調査対象者の決定に用いられる。
【００４２】
地図プロット部１５４は、地図画像情報及び地図領域情報と、調査対象世帯の世帯情報とを入力する。次に、地図プロット部１５４は、地図画像情報に基づいて地図画像を生成する。地図プロット部１５４は、地図領域情報と、世帯情報内の世帯位置情報とに基づいて、地図画像上に調査対象世帯の位置を表すマーク画像を重ねる（地図への調査対象世帯のプロット）。更に、地図プロット部１５４は、マーク画像が重ねられた地図画像（プロット地図画像）を地図出力部１５６へ出力する。
【００４３】
地図出力部１５６は、プロット地図画像を入力する。更に、地図出力部１５６は、プロット地図画像を、Ｉ／Ｆ部１０８を介してプリンタ１２０へ出力する。プリンタ１２０は、プロット地図画像を印刷する。
【００４４】
（１．３）携帯電話機の構成
（１．３．１）携帯電話機の概略構成図
図６は、携帯電話機２０の概略構成図である。図６に示すように、携帯電話機２０は、制御部２０２、記憶部２０３、無線通信部２０８、アンテナ２０９、モニタ２１０及び操作部２１６を含む。
【００４５】
制御部２０２は、例えばＣＰＵによって構成され、地図プロット装置１０が具備する各種機能を制御する。記憶部１０３は、例えばメモリによって構成され、携帯電話機２０における制御などに用いられる各種情報を記憶する。
【００４６】
無線通信部２０８６は、アンテナ２０９を介して、集計装置３０等の他の装置との間で、信号の送信及び受信を行う。モニタ２１０は、各種画像を表示したり、操作内容を表示したりする。操作部２１６は、テンキーやファンクションキーなどによって構成され、利用者の操作内容を入力するために用いられるインタフェースである。
【００４７】
（１．３．２）携帯電話機の詳細構成
次に、携帯電話機２０の詳細構成、具体的には、制御部２０２の機能ブロック構成について説明する。図７は、携帯電話機２０の制御部２０２の機能ブロック構成図である。
【００４８】
図７に示すように、制御部２０２は、乱数発生部２５２、年齢順位決定部２５４、調査対象者属性情報取得部２５８及び調査対象者属性情報送信部２６０を含む。
【００４９】
乱数発生部２５２は、調査対象者を特定するための乱数を、調査対象世帯毎に発生させる。乱数の発生には、記憶部２０３に記憶されたランダムテーブルが用いられる。
【００５０】
年齢順位決定部２５４は、発生された乱数を、調査対象世帯を構成し、且つ、調査対象者の属性に合致する構成員のうち、調査対象者となる構成員の年齢順位として決定する。更に、年齢順位決定部２５４は、決定した年齢順位をモニタ２１０に表示させる。
【００５１】
例えば、２０歳以上６０歳未満の構成員を調査対象者とした調査が行われる場合について考える。この場合、調査員は、調査対象世帯に訪問し、操作部２１６を操作して、携帯電話機２０に対して乱数発生を要求する。
【００５２】
この要求に応じて、上述したように、乱数発生部２５２は、乱数を発生させる。更に、年齢順位決定部２５４は、発生された乱数を、調査対象者となる構成員の年齢順位として決定し、モニタ２１０に表示させる。
【００５３】
調査員は、調査対象世帯の構成員のうちの調査対象者の属性に合致する構成員、すなわち、調査対象世帯の２０歳以上６０歳未満の構成員のうち、モニタ２１０に表示された年齢順位となる構成員の氏名、年齢等を聞き取る。
【００５４】
更に、調査員は、操作部２１６を操作して、聞き取った氏名、年齢等と、調査対象世帯の住所等の各種の属性情報とを、調査対象者の属性情報（調査対象者属性情報）として入力する。図８は、調査対象者属性情報の一例を示す図である。
【００５５】
次に、調査対象者属性情報取得部２５８は、入力された調査対象者属性情報を取得する。調査対象者属性情報送信部２６０は、その調査対象者属性情報を集計装置３０に向けて送信する。
【００５６】
（１．３）集計装置の構成
（１．３．１）集計装置の概略構成図
図９は、集計装置３０の概略構成図である。図９に示すように、集計装置３０は、制御部３０２、記憶部３０３、通信部３０６、モニタ３１０及び操作部３１６を含む。
【００５７】
制御部３０２は、例えばＣＰＵによって構成され、集計装置３０が具備する各種機能を制御する。記憶部３０３は、例えばメモリによって構成され、集計装置３０における制御などに用いられる各種情報を記憶する。具体的には、制御部３０２は、通信部３０６を介して、携帯電話機２０からの調査対象者属性情報を受信し、記憶部３０３に記憶させる。
【００５８】
通信部３０６は、携帯電話機２０等の他の装置との間で、信号の送信及び受信を行う。モニタ３１０は、各種画像を表示したり、操作内容を表示したりする。操作部３１６は、テンキーやファンクションキーなどによって構成され、利用者の操作内容を入力するために用いられるインタフェースである。
【００５９】
（２）調査支援システムの動作
次に、調査支援システムの動作を説明する。図１０は、調査支援システムを構成する地図プロット装置１０の動作を示すフローチャートである。
【００６０】
図１１のステップＳ１０１において、地図プロット装置１０内の制御部１０２は、記憶部１０３に記憶されている地図情報のうち、調査地点を含む領域の地図情報を読み出す。
【００６１】
ステップＳ１０２において、制御部１０２は、読み出した地図情報から調査対象世帯の世帯情報を抽出する。更に、ステップＳ１０３において、制御部１０２は、抽出した世帯情報に基づいて、地図画像上に調査対象世帯の位置をプロットし、プロット地図画像を生成する。
【００６２】
更に、ステップＳ１０４において、制御部１０２は、プロット地図画像をプリンタ１２０へ出力する。
【００６３】
図１１は、調査支援システムを構成する携帯電話機２０の動作を示すフローチャートである。
【００６４】
調査員による操作部２１６の操作によって、ログインＩＤ及びパスワードが入力されると、制御部２０２は、当該ログインＩＤ及びパスワードを集計装置３０へ送信する。集計装置３０は、認証を行い、認証結果を携帯電話機２０に送り返す。ステップＳ２００において、制御部２０２は、この認証結果に基づいて認証が許可されたか否かを判定する。
【００６５】
認証が許可された場合、ステップＳ２０１において、制御部２０２は、調査員による操作部２１６の操作によって、乱数発生が指示されたか否かを判定する。乱数発生が指示された場合、ステップＳ２０２において、制御部２０２は、乱数を発生させ、当該乱数を年齢順位として決定する。
【００６６】
その後、ステップＳ２０３において、制御部２０２は、調査員による操作部２１６の操作によって、調査対象者の年齢等を含んだ調査対象者属性情報が入力されたか否かを判定する。
【００６７】
調査対象者属性情報が入力された場合、ステップＳ２０４において、制御部２０２は、調査対象者属性情報を取得する。
【００６８】
ステップＳ２０５において、制御部２０２は、調査員による操作部２１６の操作によって、集計装置３０への接続が要求されたか否かを判定する。接続が要求された場合、ステップＳ２０６において、制御部２０２は、集計装置３０へ接続する。更に、ステップＳ２０７において、制御部２０２は、調査対象者属性情報を集計装置３０へ送信する。集計装置３０は、調査対象者属性情報を受信、記憶する。
【００６９】
（３）作用・効果
本発明の実施形態に係る調査支援システムにおいて、地図プロット装置１０は、世帯情報のうち、所定の世帯ＩＤを含む世帯情報を、調査対象世帯の世帯情報として取得し、調査対象世帯をプロットした地図を出力する。携帯電話機２０は、その調査対象世帯の構成員の何れかの属性情報を調査対象者の属性情報として取得する。この際、携帯電話機２０は、調査対象世帯のそれぞれについて、乱数を発生させ、調査員に構成員のうちの何番目の年齢の構成員を調査対象者とするかを認識させる。更に、携帯電話機２０は、調査対象世帯のそれぞれについて、構成員のうち、発生された乱数により定まる年齢順位に対応する構成員の属性情報を、調査対象者の属性情報として取得し、集計装置３０へ送信する。したがって、調査員が自由に調査対象世帯を選択する余地や、自由に調査対象者を選択する余地をなくし、調査対象者抽出のランダム性を確保することが可能となる。
【００７０】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７１】
例えば、図１０に示す地図プロット装置１０の動作、及び、図１１に示す携帯電話機２０の動作が行われて、集計装置３０に調査対象者属性情報が記憶される場合、当該記憶された調査対象者属性情報の数、換言すれば、調査対象者の数が調査に必要な数に達していない場合には、再度、図１０に示す地図プロット装置１０の動作、及び、図１１に示す携帯電話機２０の動作が行われるようにしてもよい。
【００７２】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００７３】
本発明の調査支援システム、及び、調査支援方法は、調査対象者抽出のランダム性を確保することが可能であり、調査支援システム等として有用である。
【符号の説明】
【００７４】
１０…地図プロット装置、２０…携帯電話機、３０…集計装置、１０２…制御部、１０３…記憶部、１０６…通信部、１０８…Ｉ／Ｆ部、１１０…モニタ、１１６…操作部、１２０…プリンタ、１５２…調査対象世帯抽出部、１５４…地図プロット部、１５６…地図出力部、２０２…制御部、２０３…記憶部、２０８…無線通信部、２０９…アンテナ、２１０…モニタ、２１６…操作部、２５２…乱数発生部、２５４…年齢順位決定部、２５８…調査対象者属性情報取得部、２６０…調査対象者属性情報送信部、３０２…制御部、３０３…記憶部、３０６…通信部、３１０…モニタ、３１６…操作部
【図１】
2010182040.tif 000003
【図２】
2010182040.tif 000004
【図３】
2010182040.tif 000005
【図４】
2010182040.tif 000006
【図５】
2010182040.tif 000007
【図６】
2010182040.tif 000008
【図７】
2010182040.tif 000009
【図８】
2010182040.tif 000010
【図９】
2010182040.tif 000011
【図１０】
2010182040.tif 000012
【図１１】
2010182040.tif 000013